(57)【特許請求の範囲】
【請求項１】
複数個の香錠剤を含む、１回用量のファブリック処理組成物であって、それぞれの香錠剤が、
（ａ）前記組成物の８０重量％〜９１重量％のポリエチレングリコールと、前記ポリエチレングリコールが５，０００〜１１，０００の分子量を有し、
（ｂ）前記組成物の２重量％〜１２重量％の遊離香料と、
（ｃ）前記組成物の２重量％〜１２重量％の破砕可能な香料マイクロカプセルと、を含み、前記破砕可能な香料マイクロカプセルがカプセル化香料を含み、
前記香錠剤のそれぞれが０．９５ｍｇ〜２ｇの質量を有し、
前記複数個の香錠剤が１３ｇ〜２７ｇの質量を有して前記１回用量をなす、ファブリック処理組成物。
【請求項２】
前記破砕可能なマイクロカプセルが、メラミン／ホルムアルデヒドシェルを含み、前記破砕可能な香料マイクロカプセルが、前記組成物の０．６重量％〜４重量％の香料をカプセル化する、請求項１に記載のファブリック処理組成物。
【請求項３】
前記複数個の香錠剤が、球形、半球形、圧縮半球形、扁豆形、及び長円形からなる群から選択される形状を有する個々の香錠剤を含む、請求項１又は２に記載のファブリック処理組成物。
【請求項４】
前記香錠剤が１センチメートル未満の最大寸法を有する、請求項１〜３のいずれか１項に記載のファブリック処理組成物。
【請求項５】
前記組成物が、
（ａ）前記組成物の８０重量％〜９１重量％のポリエチレングリコールと、前記ポリエチレングリコールが５，０００〜１１，０００の分子量を有し、
（ｂ）前記組成物の２重量％〜１２重量％の遊離香料と、
（ｃ）前記組成物の２重量％〜１２重量％の破砕可能な香料マイクロカプセルと、から本質的になり、前記破砕可能なマイクロカプセルがカプセル化香料を含む、請求項１に記載のファブリック処理組成物。
【請求項６】
前記破砕可能な香料マイクロカプセルが、メラミン／ホルムアルデヒドシェルを含み、前記破砕可能な香料マイクロカプセルが、前記組成物の０．６重量％〜４重量％の香料をカプセル化する、請求項５に記載のファブリック処理組成物。
【請求項７】
前記香錠剤が、球形、半球形、圧縮球形、扁豆形、及び長円形からなる群から選択される形状を有する、請求項５又は６に記載のファブリック処理組成物。
【請求項８】
前記香錠剤が１センチメートル未満の最大寸法を有する、請求項５〜７のいずれか１項に記載のファブリック処理組成物。
【請求項９】
組成物の製造法であって、
（ａ）前記組成物の８０重量％〜９１重量％のポリエチレングリコールと、前記ポリエチレングリコールが５，０００〜１１，０００の分子量を有し、
（ｂ）前記組成物の２重量％〜１２重量％の遊離香料と、
（ｃ）前記組成物の２重量％〜１２重量％の香料マイクロカプセルと、を含み、前記香料マイクロカプセルがカプセル化香料を含んでなる粘性材料を用意し、
前記粘性材料を小開口に通過させて、移動するコンベヤ表面上に配置させて、前記粘性材料がその上で冷却されて複数個の香錠剤を形成することを含む、組成物の製造法。
【請求項１０】
前記香料マイクロカプセルが破砕可能な香料マイクロカプセルであり、メラミン／ホルムアルデヒドシェルを含み、前記破砕可能な香料マイクロカプセルが、前記組成物の０．６重量％〜４重量％の香料をカプセル化している、請求項９に記載の方法。
【請求項１１】
前記複数個の香錠剤が、球形、半球形、圧縮球形、扁豆形、及び長円形からなる群から選択される形状を有する香錠剤を含む、請求項９又は１０に記載の方法。
【請求項１２】
前記香錠剤が１センチメートル未満の最大寸法を有する、請求項９〜１１のいずれか１項に記載の方法。
【請求項１３】
前記香錠剤が０．９５ｍｇ〜２ｇの質量を有する、請求項９〜１２のいずれか１項に記載の方法。
【発明の詳細な説明】
【技術分野】
【０００１】
本発明は、洗濯物を新鮮にするための製品に関する。
【背景技術】
【０００２】
洗濯物への強い香料の香りを好む消費者は多い。このようないわゆる「香りの追求者たち」は、所望の新鮮さを洗濯物に提供するために、洗濯洗剤及び柔軟剤などのような洗濯製品を頻繁に過剰投与するであろう。洗濯物に新鮮さを提供するような芳香添加剤製品を消費者に提供することが求められている。
【発明の概要】
【発明が解決しようとする課題】
【０００３】
このような香り添加剤は、低コストで所望の香りレベルを達成するために、他の洗濯製品とは独立して、消費者によって適用可能であることが必要である。
【課題を解決するための手段】
【０００４】
本発明の実施形態は、（ａ）ポリエチレングリコールが約５，０００〜約１１，０００の分子量を有するような、組成物の約８０重量％〜約９１重量％のポリエチレングリコールと、（ｂ）組成物の約２重量％〜約１２重量％の遊離香料と、（ｃ）香料マイクロカプセルがカプセル化香料を含むような、組成物の約２重量％〜約１２重量％の破砕可能な香料マイクロカプセルと、から本質的になる組成物であり得、組成物は約０．９５ｍｇ〜約２ｇの質量を有して香錠剤の形状をなす。
【０００５】
本発明の他の実施形態は、複数個の香錠剤を含む、１回用量形態のファブリック処理組成物であり得、それぞれの香錠剤が、（ａ）ポリエチレングリコールが約５，０００〜約１１，０００の分子量を有するような、組成物の約８０重量％〜約９１重量％のポリエチレングリコールと、（ｂ）組成物の約２重量％〜約１２重量％の遊離香料と、（ｃ）香料マイクロカプセルがカプセル化香料を含むような、組成物の約２重量％〜約１２重量％の破砕可能な香料マイクロカプセルと、を含み、それぞれの香錠剤が約０．９５ｍｇ〜約２ｇの質量を有し、複数個の香錠剤が約１３ｇ〜約２７ｇの質量を有して１回用量形態をなす。
【０００６】
本発明の他の実施形態は、（ａ）ポリエチレングリコールが約５，０００〜約１１，０００の分子量を有するような、組成物の約８０重量％〜約９１重量％のポリエチレングリコールと、（ｂ）香料マイクロカプセルがカプセル化香料を含むような、組成物の約９重量％〜約２０重量％の破砕可能な香料マイクロカプセルと、から本質的になる組成物であり得、組成物は遊離香料を本質的に含まず、並びに組成物は約０．９５ｍｇ〜約２ｇの質量を有して香錠剤の形状をなす。
【０００７】
本発明の他の実施形態は、（ａ）ポリエチレングリコールが約５，０００〜約１１，０００の分子量を有するような、組成物の約８０重量％〜約９１重量％のポリエチレングリコールと、（ｂ）組成物の約９重量％〜約２０重量％の遊離香料と、から本質的になる組成物であって、組成物は香料キャリアを本質的に含まず、並びに組成物は約０．９５ｍｇ〜約２ｇの質量を有して香錠剤の形状をなす。
【０００８】
本発明の他の実施形態は、組成物の製造法であり得、製造法は、ガラス転移温度を有する粘性材料を提供することと、粘性材料にガラス転移温度よりも摂氏約２０度高い温度未満の加工処理温度を供給することと、粘性材料を小開口に通過させて、移動するコンベヤ表面上に配置させて、その上で粘性材料をガラス転移温度以下に冷却して、複数個の香錠剤を形成することと、を含み、粘性材料は、（ａ）ポリエチレングリコールが約５，０００〜約１１，０００の分子量を有するような、組成物の約８０重量％〜約９１重量％のポリエチレングリコールと、（ｂ）組成物の約２重量％〜約１２重量％の遊離香料と、（ｃ）香料マイクロカプセルがカプセル化香料を含むような、組成物の約２重量％〜約１２重量％の香料マイクロカプセルと、を含む。
【図面の簡単な説明】
【０００９】
【図１】香錠剤形成装置の概略図。
【発明を実施するための形態】
【００１０】
本発明の組成物は、ポリエチレングリコールと、遊離香料及び／又は香料マイクロカプセルと、必要に応じて染料と、を含んでもよい。１つの実施形態では、組成物は、洗剤界面活性剤及び／又はファブリック軟化活性剤を本質的に含まない。
【００１１】
ポリエチレングリコール（ＰＥＧ）
ポリエチレングリコール（ＰＥＧ）は比較的低コストであり、多くの異なる形状及び寸法に形成することが可能であり、遊離香料拡散を最小にとどめ、水によく溶解する。ＰＥＧは種々の分子量で存在する。洗濯物を新鮮にする目的に適したＰＥＧの分子量は、約３，０００〜約１３，０００、約４，０００〜約１２，０００、あるいは約５，０００〜約１１，０００、あるいは約６，０００〜約１０，０００、あるいは約６，０００〜約１０，０００、あるいは約７，０００〜約９，０００、あるいはこれらの組み合わせである。ＰＥＧは、例えば、ＰＬＵＲＩＯＬ  Ｅ  ８０００として、ＢＡＳＦから入手可能である。
【００１２】
本発明の組成物は、組成物の約６５重量％〜約９９重量％のＰＥＧを含んでもよい。あるいは、組成物は、組成物の約８０重量％〜約９１重量％、あるいは約８５重量％〜約９１重量％、約７５重量％以上、あるいは約７０重量％〜約９８重量％、あるいは約８０重量％〜約９５重量％、あるいはこれらの組み合わせのＰＥＧを含むことができる。
【００１３】
遊離香料
本発明の組成物は、遊離香料及び／又は香料マイクロカプセルを含んでもよい。香料は、米国特許第７，１８６，６８０号の第１０欄５６行〜第２５欄２２行に概して記載されている。１つの実施形態では、組成物は遊離香料を含み、香料マイクロカプセルのような香料キャリアを本質的に含まない。更に別の実施形態では、組成物は香料キャリア材料（及びそれらに封じ込められた香料）を含む。香料キャリア材料の例は、米国特許第７，１８６，６８０号の第２５欄２３行〜第３１欄７行に記載されている。香料キャリアの特別な例は、シクロデキストリンとゼオライトとを含んでもよい。
【００１４】
１つの実施形態では、組成物は、遊離（未希釈）香料を含むが、それは香料キャリアを含まないか又は本質的に含まない。このような実施形態では、組成物は、組成物の約２０重量％未満、あるいは約２５重量％未満、あるいは約９重量％〜約２０重量％、あるいは約１０重量％〜約１８重量％、あるいは約１１重量％〜約１３重量％、あるいはこれらの組み合わせの遊離香料を含んでもよい。
【００１５】
１つの実施形態では、組成物は、（ａ）ポリエチレングリコールが約５，０００〜約１１，０００の分子量を有するような、組成物の約８０重量％〜約９１重量％のポリエチレングリコールと、（ｂ）組成物の約９重量％〜２０重量％の遊離香料と、から本質的になり、組成物は香料キャリアを本質的に含まず、並びに組成物は、約０．９５ｍｇ〜約２ｇの質量を有して香錠剤の形状をなす。別の実施形態では、組成物が（ａ）ポリエチレングリコールが約５，０００〜約１１，０００の分子量を有するような、組成物の約７５重量％以上のポリエチレングリコールと、（ｂ）組成物の約２５重量％未満の遊離香料と、から本質的になり、組成物は香料キャリアを本質的に含まず、並びに組成物は約０．９５ｍｇ〜約２ｇの質量を有して香錠剤の形状をなす。
【００１６】
別の実施形態では、組成物は遊離香料と香料マイクロカプセルとを含む。この実施形態では、組成物の約２重量％〜約１２重量％、あるいは約１重量％〜約１０重量％、あるいは約３重量％〜約８重量％、あるいは約４重量％〜約７重量％、あるいは約５重量％〜約７重量％、あるいはこれらの組み合わせの遊離香料を含むことができる。
【００１７】
更に別の実施形態では、組成物は遊離（未希釈）香料及び香料マイクロカプセルを含むが、これは他の香料キャリアを含まないか又は本質的に含まない。
【００１８】
香料マイクロカプセル
本発明の組成物は、香料マイクロカプセル（ＰＭＣ）内にカプセル化された香料オイルを含むことができる。ＰＭＣは破砕可能なＰＭＣであり得る。用語「ＰＭＣ」と「香料マイクロカプセル」とは、互換的に用いられていて、複数個の香料マイクロカプセルを称する。好適な香料マイクロカプセル及び香料ナノカプセルとしては、米国特許出願公開第２００３２１５４１７（Ａ１）号、同第２００３２１６４８８（Ａ１）号、同第２００３１５８３４４（Ａ１）号、同第２００３１６５６９２（Ａ１）号、同第２００４０７１７４２（Ａ１）号、同第２００４０７１７４６（Ａ１）号、同第２００４０７２７１９（Ａ１）号、同第２００４０７２７２０（Ａ１）号、同第２００３２０３８２９（Ａ１）号、同第２００３１９５１３３（Ａ１）号、同第２００４０８７４７７（Ａ１）号、及び同第２００４０１０６５３６（Ａ１）号、米国特許第６，６４５，４７９号、同第６，２００，９４９号、同第４，８８２，２２０号、同第４，９１７，９２０号、同第４，５１４，４６１号、及び同第４，２３４，６２７号、米国再発行特許第３２，７１３号、並びに欧州特許公開第ＥＰ  １３９３７０６（Ａ１）号が挙げられる。
【００１９】
本発明の目的のためには、「香料マイクロカプセル」又は「ＰＭＣ」という用語は、香料マイクロカプセルと香料ナノカプセルとの両方を表す。ＰＭＣは破砕可能である（例えば、水分活性化ＰＭＣと比較して）。ＰＭＣは水分活性化であり得る。
【００２０】
１つの実施形態では、ＰＭＣはメラミン／ホルムアルデヒドシェルを含む。カプセル化香料及び／又はＰＭＣは、Ａｐｐｌｅｔｏｎ、Ｑｕｅｓｔ  Ｉｎｔｅｒｎａｔｉｏｎａｌ、又はＩｎｔｅｒｎａｔｉｏｎａｌ  Ｆｌａｖｏｒ  ＆  Ｆｒａｇｒａｎｃｅｓ、又は他の好適な調達源から入手可能である。１つの実施形態では、米国特許第７，１２５，８３５号、同第７，１９６，０４９号、及び同第７，１１９，０５７号に記載されているように、布地に付着するＰＭＣの能力を増強させるために、ＰＭＣシェルは、ポリマーによって被覆されている。
【００２１】
１つの実施形態では、組成物はＰＭＣを含むが、（未希釈）香料を含まない又は本質的に含まない。このような実施形態では、組成物は、組成物の約２０重量％未満、あるいは約２５重量％未満、あるいは約９重量％〜約２０重量％、あるいは約９重量％〜約１５重量％、あるいは約１０重量％〜約１４重量％、あるいは約１１重量％〜約１３重量％、あるいはこれらの組み合わせのＰＭＣ（カプセル化香料を含む）を含んでもよい。このような実施形態では、ＰＭＣによってカプセル化された香料は、組成物の約０．６重量％〜約４重量％の香料を含んでもよい。
【００２２】
１つの実施形態では、組成物は、（ａ）ポリエチレングリコールが約５，０００〜約１１，０００の分子量を有するような、組成物の、約８０重量％〜約９１重量％のポリエチレングリコールと、（ｂ）香料マイクロカプセルがカプセル化香料を含むような、組成物の、約９重量％〜約２０重量％の破砕可能な香料マイクロカプセルと、から本質的になり、組成物は遊離香料を本質的に含まず、並びに組成物は約０．９５ｍｇ〜約２ｇの質量を有して香錠剤の形状をなす。このような実施形態では、ＰＭＣによってカプセル化された香料は、組成物の約０．６重量％〜約４重量％の香料を含んでもよい。
【００２３】
別の実施形態では、組成物はＰＭＣと遊離香料とを含む。このような実施形態では、組成物は、組成物の約１重量％〜約１０重量％、あるいは約２重量％〜約１２重量％、あるいは約２重量％〜約８重量％、あるいは約３重量％〜約８重量％、あるいは約４重量％〜約７重量％、あるいは約５重量％〜約７重量％、あるいはこれらの組み合わせのＰＭＣ（カプセル化香料を含む）を含んでよい。この実施形態では、ＰＭＣによってカプセル化された香料は、組成物の約０．６重量％〜約４重量％の香料を含んでもよい。
【００２４】
１つの実施形態では、組成物は、（ａ）ポリエチレングリコールが約５，０００〜約１１，０００の分子量を有するような、組成物の約８０重量％〜９１重量％のポリエチレングリコールと、（ｂ）組成物の約２重量％〜約１２重量％の遊離香料と、（ｃ）香料マイクロカプセルがカプセル化香料を含むような、組成物の約２重量％〜約１２重量％の破砕可能な香料マイクロカプセルと、から本質的になり、組成物は約０．９５ｍｇ〜約２ｇの質量を有して香錠剤の形状をなす。この実施形態では、ＰＭＣによってカプセル化された香料は、組成物の約０．６重量％〜約４重量％の香料を含んでよい。
【００２５】
１つの実施形態では、組成物は、（ａ）ポリエチレングリコールが約５，０００〜約１１，０００の分子量を有するような、組成物の約８０重量％〜約９１重量％のポリエチレングリコールと、（ｂ）組成物の約２重量％〜約１２重量％の遊離香料と、（ｃ）香料マイクロカプセルがカプセル化香料を含むような、組成物の約２重量％〜約１２重量％の破砕可能な香料マイクロカプセルと、を含み、組成物は香錠剤の形状にされ、それぞれの香錠剤は約０．９５ｍｇ〜約２ｇの質量を有する。このような配合は、組成物の使用者にバランスの取れた香り体験を提供すると考えられる。組成物の約８０重量％〜約９１重量％のポリエチレングリコールのレベルを伴うことによって、組成物の約２重量％〜約１２重量％の遊離香料が、使用者が組成物を含有するパッケージを開封する際に、並びに使用者が組成物を投与装置に注ぎ、洗濯機に組成物を移す際に、使用者に快適な香り体験を提供することができる。これが、使用者が香りを有意に検出可能なレベルで体験し得るが、香りによって圧倒されることがないレベルである。同様に、香錠剤が１回用量形態で洗濯に適用される場合に、組成物の約２重量％〜約１２重量％の破砕可能な香料マイクロカプセルが、香錠剤の物理的及び／又は化学的安定性を提供して、洗濯中に破砕可能な香料マイクロカプセルの有効量を使用者の衣類に付着させ得る。更に、追加の成分が香錠剤の物理的及び／又は化学的安定性を妨害する可能性があるため、並びに界面活性剤、ファブリック柔軟剤、又は他の同様な成分のような他の成分が、洗剤又は乾燥機添加製品のような他のメカニズムによって供給され得ることを認識し、洗濯及び／又は乾燥中に使用者がこのような成分を過剰投与し得る可能性があるため、組成物が指定レベルで上記成分から本質的に構成されることは有利であり得る。
【００２６】
更に別の実施形態では、組成物は香料マイクロカプセルを含むことができるが、他の香料キャリア及び／又は遊離（未希釈）香料を含まないか又は本質的に含まない。更になお別の実施形態では、組成物はホルムアルデヒド捕捉剤を含んでもよい。更になお別の実施形態では、本発明の組成物の香りは、ファブリックケア製品（例えば、洗濯洗剤、ファブリック柔軟剤）の香りと合わせられる。このように、ＡＰＲＩＬ  ＦＲＥＳＨの香りを好む消費者が、ＡＰＲＩＬ  ＦＲＥＳＨの香りを有する香錠剤を用いることが可能であり、これによって、彼らの洗濯物を洗浄する香り体験をＡＰＲＩＬ  ＦＲＥＳＨを用いて得られる彼らの香り体験と合わせることができる。本発明の香錠剤は、統合された香りを有する製品アレイ（洗濯洗剤及び／又はファブリック柔軟剤と共に）として販売されてもよい。
【００２７】
染料
本組成物は、染料を含んでよい。染料は、洗濯洗剤又はファブリック柔軟剤で典型的に用いられるような染料を含んでよい。組成物は、組成物の約０．００１重量％〜約０．１重量％、あるいは約０．０１重量％〜約０．０２重量％、あるいはこれらの組み合わせの染料を含んでよい。染料の例としては、Ｍｉｌｌｉｋｉｎ  Ｃｈｅｍｉｃａｌから入手可能なＬＩＱＵＩＴＩＮＴ  ＢＬＵＥが挙げられる。
【００２８】
洗濯活性剤及び柔軟剤を含まないもの
本組成物は、洗濯活性剤及び／又はファブリック柔軟剤を含まなくてよい。コストを低減し、配合能力の問題を回避するために、本発明の１つの態様は、洗濯活性剤及び／又はファブリック柔軟剤を含まない又は本質的に含まない組成物を含んでよい。１つの実施形態では、組成物は、組成物の約３重量％未満、あるいは約２重量％未満、あるいは組成物の約１重量％未満、あるいは組成物の約０．１重量％未満の洗濯活性剤及び／又はファブリック柔軟剤（又はこれらの組み合わせ）を含むか、あるいはほとんど含まない。洗濯活性剤としては、洗剤界面活性剤、洗剤ビルダー、漂白剤、酵素、これらの混合物などが挙げられる。界面活性剤の非洗浄のレベルを利用して、組成物内に収容された香料を溶解することを補助できることが理解されよう。
【００２９】
香錠剤
本発明の組成物は、米国特許第５，０１３，４９８号及び同第５，７７０，２３５号に開示された方法を含む当該技術分野で既知の方法によって、香錠剤に形成され得る。本発明の組成物は、バッチ又は連続モードのいずれかで調製されてもよい。バッチモードでは、温度制御を有する混合容器内に溶融ＰＥＧが充填される。次に、ＰＭＣが添加され、均質になるまでＰＥＧと混合される。次に、香料が容器に添加されて、混合物全体が均質になるまで、成分が一定時間更に混合される。連続モードでは、静的混合機又は高剪断混合機のような直列式混合機内で、溶融ＰＥＧが香料及びＰＭＣと混合されて、次に生成した均質の混合物が香錠剤形成のために用いられる。ＰＭＣ及び香料は、いかなる順番でも又は同時にＰＥＧに添加され得、染料は香錠剤形成の前の工程で添加され得る。
【００３０】
香錠剤は、錠剤、ピル、球体など含む異なる形状に形成されてもよい。香錠剤は、球形、半球形、圧縮半球形、扁豆形、長円形からなる群から選択される形状を有し得る。扁豆形は、レンズマメの形状を称する。圧縮半球形は、曲面の曲率が同一の半径を有する半球形の曲率よりも平均して小さいような少なくとも部分的に平坦であるような半球形に相当する形状を称する。圧縮半球形香錠剤は、約０．０１〜約０．４、あるいは約０．１〜約０．４、あるいは約０．２〜約０．３の直径に対する高さの比を有し得る。長円形は、最大寸法及び最大寸法に直交する最大第２寸法を有する形状を称し、最大第２寸法に対する最大寸法の比が約１．２よりも大きい。長円形は、約１．５よりも大きい最大第２寸法に対する最大寸法の比を有し得る。長円形は、約２よりも大きい最大第２寸法に対する最大寸法の比を有し得る。長円形粒子は、約２ｍｍ〜約６ｍｍの最大寸法と、約２ｍｍ〜約４ｍｍの最大第２寸法を有し得る。
【００３１】
本明細書で開示されたいずれかの配合の別の実施形態では、それぞれの個々の香錠剤は、約０．９５ｍｇ〜約２ｇ、あるいは約１０ｍｇ〜約１ｇ、あるいは約１０ｍｇ〜約５００ｍｇ、あるいは約１０ｍｇ〜約２５０ｍｇ、あるいは約０．９５ｍｇ〜約１２５ｍｇ、あるいはこれらの組み合わせの質量を有し得る。複数個の香錠剤では、個々の香錠剤は、球形、半球形、圧縮半球形、扁豆形、長円形からなる群から選択される形状を有し得る。
【００３２】
個々の香錠剤は、約０．００３ｃｍ３〜約０．１５ｃｍ３の体積を有し得る。複数個の香錠剤は、洗濯機又は洗浄用容器内の洗濯物に投入するための１回用量形態を合わせて含んでもよい。香錠剤の単一１回用量形態は、約１３ｇ〜約２７ｇ、あるいは約１４ｇ〜約２０ｇ、あるいは約１５ｇ〜約１９ｇ、あるいは約１６ｇ〜約１８ｇ、あるいはこれらの組み合わせを含んでもよい。１回用量形態を作り上げている複数個の香錠剤を形成する個々の香錠剤は、それぞれ約０．９５ｍｇ〜約２ｇの質量を有し得る。複数個の香錠剤は、異なる寸法、形状、及び／又は質量の香錠剤から作り上げられ得る。１回用量形態での香錠剤は、約１センチメートル未満の最大寸法を有し得る。
【００３３】
本組成物は、香錠剤形成工程によって製造されてよい。香錠剤形成装置１００の概略が図１に示されている。このような工程による製造の段階は、粘性材料５０として所望の配合物を提供することを含むことができる。粘性材料５０は、本明細書に開示された任意の可能な配合物を含むか又はそれらから構成され得る。１つの実施形態では、粘性材料５０は、（ａ）ポリエチレングリコールが約５，０００〜約１１，０００の分子量を有するような、組成物の約８０重量％〜約９１重量％のポリエチレングリコールと、（ｂ）組成物の約２重量％〜約１２重量％の遊離香料と、（ｃ）香料マイクロカプセルがカプセル化香料を含むような、組成物の約２重量％〜約１２重量％の破砕可能な香料マイクロカプセルと、を含む。粘性材料５０は、示差走査熱量計によって決定されたような凝固温度の開始温度より摂氏約２０度高い温度未満の処理温度にて供給され得る。
【００３４】
１つの実施形態では、ＰＭＣはスラリーとしてポリエチレングリコール及び遊離香料に添加されて、粘性材料５０を形成することができる。ＰＭＣは、粉末としてポリエチレングリコール及び遊離香料に添加されて、粘性材料５０を形成することができる。粘性材料５０を小開口１０に通過させて、移動するコンベヤ表面２０上に配置させて、そのコンベヤ表面上で粘性材料５０をガラス転移温度以下に冷却して、複数個の香錠剤３０を形成する。図１に示されるように、小開口１０は、回転可能な香錠剤形成ロール５上にあり得る。粘性材料５０は、粘性材料ディストリビュータ４０によって、小開口１０に分配され得る。香錠剤は、Ｓａｎｄｖｉｋ  Ｍａｔｅｒｉａｌｓ  Ｔｅｃｈｎｏｌｏｇｙから入手可能なＲＯＴＯＦＯＲＭＥＲ上で形成され得る。
【００３５】
パッケージ
１回用量形態又は複数の１回用量形態がパッケージ内に封入され得る。パッケージはボトル、バッグ、又は他の容器でもよい。１つの実施形態では、パッケージはボトルであって、香錠剤を消費者に見えるようにするための半透明の部分を備えるＰＥＴボトルが好ましい。１つの実施形態では、パッケージは単一１回用量形態（例えば、お試しサイズの分包）、又は複数の１回用量形態（例えば、１回用量形態約１５個〜１回用量形態約３０個）を含む。
【００３６】
投与
上述のパッケージは、香錠剤をパッケージから洗濯機（又は手洗い用途では洗面器）に分配するための投与手段を備えてもよい。使用者は、推奨された単位用量を計測するために投与手段を用いてもよく、使用者自身の香り嗜好によって香錠剤を計測するために投与手段を単に用いてもよい。投与手段の例は、分配キャップ、ドームなどでもよく、これはパッケージに機能的に取り付けられている。投与手段は、例えば、パッケージ上に据え付けられたカップのように、パッケージから取り外し可能に脱着できて、パッケージに再度取り付けすることができる。投与手段はパッケージの台につながれていて（例えば、ヒンジ又はストリングによって）もよい（あるいは、つながれていなくてもよい）。投与手段は、推奨した単位投与用量を示すための１つ又はそれ以上の境界線（例えば、充填線）を有してもよい。パッケージは、使用者にパッケージの取り外し可能な開口を開くように、並びにパッケージ内に封入された香錠剤を投与手段へと分配する（例えば、注ぐ）よう指示する取扱説明を含んでもよい。これによって、使用者は投与手段内に封入された香錠剤を洗濯機又は洗面器に投与するよう指示され得る。本発明の香錠剤は、洗濯物に新鮮さを加えるために用いられてもよい。投与手段を備えるパッケージは、プラスチック製でもよい。
【００３７】
１つの実施形態は、複数個の香錠剤を含む、１回用量形態のファブリック処理組成物であり得、それぞれの香錠剤が、（ａ）ポリエチレングリコールが約５，０００〜約１１，０００の分子量を有するような、組成物の約８０重量％〜９１重量％のポリエチレングリコールと、（ｂ）組成物の約２重量％〜約１２重量％の遊離香料と、（ｃ）香料マイクロカプセルがカプセル化香料を含むような、組成物の約２重量％〜約１２重量％の破砕可能な香料マイクロカプセルと、を含み、それぞれの香錠剤が約０．９５ｍｇ〜約２ｇの質量を有し、複数個の香錠剤が約１３ｇ〜約２７ｇの質量を有して１回用量形態をなす。
【００３８】
１つの実施形態では、本発明の香錠剤は、洗濯機の「洗浄サイクル」中に使用されるものとして、洗濯機に投与され得る（しかし、「濯ぎサイクル」で使用されてもよい）。別の実施形態では、本発明の香錠剤は、洗濯物の洗浄及び／又は濯ぎ中に、洗面器に投与される。洗濯物の手濯ぎ用途では、香錠剤は、Ｗａｃｋｅｒから入手可能であるような「消泡剤」を更に含んでもよい。消泡剤（石鹸泡抑制システム）は、米国特許公開第２００３００６０３８９号の６５〜７７に記載されている。
【実施例】
【００３９】
【表１】
0005485409.tif 000002
１  ＰＭＣは、Ａｐｐｌｅｔｏｎからの尿素−ホルムアルデヒドシェルを備えた破砕可能なＰＭＣである。ＰＭＣ（カプセル化香料を含む）の約５０重量％の水が想定される。
２  カプセル化香料（ＰＭＣ内の）は約３２％が活性であると想定する。
【００４０】
本明細書で開示した寸法及び値は、列挙した厳密な数値に厳格に限定されるものとして解釈されるものではない。むしろ、別段の指定がない限り、そのような各寸法は、列挙した値と、その値を包含する機能的に等価な範囲との双方を意味することを意図したものである。例えば、「４０ｍｍ」として開示した寸法は、「約４０ｍｍ」を意味することを意図したものである。
【００４１】
相互参照される又は関連するあらゆる特許又は出願書類を含め、本明細書において引用されるすべての文献は、明示的に除外ないしは制限されない限り、その全体を参考として本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。更に、本書における用語のいずれかの意味又は定義が、参考として組み込まれた文献における同一の用語のいずれかの意味又は定義と相反する限りにおいて、本書においてその用語に与えられた定義又は意味が適用されるものとする。
【００４２】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのようなすべての変更及び修正を、添付の「特許請求の範囲」で扱うものとする。
【図１】
0005485409.tif 000003